(57)【要約】【課題】人の手指を自動で隅々まできれいに洗浄することができる手指自動洗浄装置を提供する。【解決手段】ボウル状の排ミスト回収部２と、この排ミスト回収部２の第１の中空部２ｂ上に配され、洗浄対象である手指５１の上面側に洗浄液を噴霧する噴霧構造４を備えている第１の洗浄液噴霧部３と、排ミスト回収部２の第１の開口２ａの鉛直上方側でかつその周縁側に配され、洗浄対象である手指５１の周縁側に洗浄液２３を噴霧する噴霧構造４を備えている第２の洗浄液噴霧部５と、排ミスト回収部２の排出口２ｃの下流側に配されている吸引部７と、を備えている手指自動洗浄装置１による。【選択図】図１
2020048628.tif 000002
【特許請求の範囲】
【請求項１】
手指の表面を自動で洗浄するための洗浄装置であって、
上部に第１の開口を備え、かつ第１の中空部を備えるボウル状の排ミスト回収部と、
この排ミスト回収部の前記第１の中空部上に配され、洗浄対象である前記手指の上面側に洗浄液を噴霧する噴霧構造を備えている第１の洗浄液噴霧部と、
前記第１の開口の鉛直上方側でかつその周縁側に配され、洗浄対象である前記手指の周縁側に前記洗浄液を噴霧する前記噴霧構造を備えている第２の洗浄液噴霧部と、
前記排ミスト回収部の排出口の下流側に配されている吸引部と、を備えていることを特徴とする手指自動洗浄装置。
【請求項２】
前記手指自動洗浄装置はさらに、前記吸引部の下流側に配されて、前記排ミスト回収部から排出された流体から液体を分離するフィルタと、
このフィルタを通過した気体を除湿する除湿部と、
この除湿部から排出された除湿気体を前記排ミスト回収部の前記第１の開口側に導いて導出させる循環路と、を備えていることを特徴とする請求項１に記載の手指自動洗浄装置。
【請求項３】
前記手指自動洗浄装置はさらに、前記第１の開口側に導出された前記除湿気体を、前記排ミスト回収部の内側面上を前記排出口に向かって流動させる風向調整部を備えていることを特徴とする請求項２に記載の手指自動洗浄装置。
【請求項４】
前記手指自動洗浄装置はさらに、使用者の顔を撮像する撮像部と、
前記撮像部において撮像された画像に基づいて前記使用者を特定する画像認証部と、
この画像認証部において特定された使用者情報に関連付けて予め登録されている前記第１の開口の鉛直方向高さデータに基づいて前記第１の開口及びそれに付随する設備の鉛直方向高さを変更する高さ調整部と、を備えていることを特徴とする請求項１乃至請求項３のいずれか１項に記載の手指自動洗浄装置。
【請求項５】
前記手指自動洗浄装置はさらに、洗浄水に洗剤を供給する洗剤供給部と、
前記洗浄水に前記洗剤を溶解させて前記洗浄液を調整する洗浄液調整部と、を備えていることを特徴とする請求項１乃至請求項４のいずれか１項に記載の手指自動洗浄装置。
【請求項６】
前記噴霧構造は、洗浄水を供給する洗浄水供給部と、前記洗浄液を供給する洗浄液供給部と、圧縮空気を供給する圧縮空気供給部と、を備え、
前記洗浄水と前記圧縮空気とからなる第１の混合霧体、前記洗浄液と前記圧縮空気とからなる第２の混合霧体、及び、前記圧縮空気、から選択されるいずれかを前記噴霧構造から噴射することを特徴とする請求項１乃至請求項５のいずれか１項に記載の手指自動洗浄装置。
【請求項７】
前記第１の開口は、アームレストを備えていることを特徴とする請求項１乃至請求項６のいずれか１項に記載の手指自動洗浄装置。
【発明の詳細な説明】
【技術分野】
【０００１】
本発明は、手が不自由な人の手指を自動で洗浄することができる手指自動洗浄装置に関する。
【背景技術】
【０００２】
従来、手指は複雑な立体構造を有しており、健常者であってもきれいに洗浄することが難しい。このため、病気やケガ等により手指を自由に動かすことができない人の手指をきれいに洗浄することは一層困難であった。
このような事情に鑑み、手指を自由に動かすことができない人の手指をきれいに洗浄することができる手指の自動洗浄装置が必要とされていた。
本発明と関連する技術分野の先行技術としては以下に示すようなものが知られている。
【０００３】
特許文献１には「個人認証つき手指洗浄システム」という名称で、生体情報の照合による個人を認証する機能を有する個人認証つき手指洗浄システムに関する発明が開示されている。
特許文献１に開示される個人認証つき手指洗浄システムは、任意の個人の生体情報を取得する機能を有する生体情報取得手段と、液噴射手段と上記液噴射手段に設けられた液噴射口から噴射される液の噴射方向近傍に手指が差し込まれたときに手指を検知するセンサを有する洗浄器と、上記生体情報取得手段で取得される上記個人の上記生体情報が上記個人に対応する上記ＩＤ番号に関連付けされた複数の認証比較情報と上記洗浄器の洗浄条件とが登録される事前情報記録手段、カウンタ、上記生体情報取得手段で上記任意の個人の生体情報が取得されたときに、複数の上記認証比較情報と照合することによって上記個人を認証し、上記センサによる手指の検知に連動して上記液噴射口からの液の噴射を制御すると同時に上記カウンタを制御し、上記カウンタからの情報を監視して上記洗浄条件に基づいて手指洗浄の遂行がなされたかを判断する制御手段および上記制御手段による手指洗浄の遂行がなされたかの判断の結果が、認証された上記個人に対応する上記ＩＤ番号に関連付けされて書き込まれる履歴記録手段、を有する制御装置本体部と、を備えてなるものである。
上記構成の特許文献１に開示される発明によれば、制御手段は、予め事前情報記録手段（第１のメモリ）に登録された複数の認証比較情報と生体情報取得手段で取得される任意の個人の生体情報とを照合し、合致する生体情報を検知することによって個人を認証することができる。また、制御手段は、カウンタ、センサの情報を監視することによって、認証された個人が洗浄器の洗浄条件に対して手指洗浄を完全に遂行したか否かの判断を行うことができるので、手指洗浄が完全に遂行されたのか不完全であったのかの履歴データを認証された個人のＩＤ番号に関連付けさせて、履歴記録手段（第２のメモリ）に保存させることができる。また、必要に応じて手指洗浄の遂行履歴データの確認を行うことができるという効果を有する。
【０００４】
特許文献２には「手洗乾燥機」という名称で、手洗乾燥機、詳しくは人体を感知すると石けん液と水を吐出し、その後温風を送風する装置に関する。
特許文献２に開示される手洗乾燥機は、人体を感知して石けん液と水を吐出し温風を吹き出す手洗乾燥機において、石けん液を吐出する前に予備洗浄を設けたことを特徴とするものである。
上記構成の特許文献２に開示される発明によれば、石けん液の吐出前に水を吐出して手を濡らすことにより石けん液を付き易くし、石けん液の吐出後再度水を吐出して本洗浄するので、従来のもののように石けん液が手に付かず多量の石けん液が必要になるという無駄がなく、少量の石けん液でも確実に洗浄出来て石けん液の消費量を軽減することができるという効果を有する。
【０００５】
特許文献３には「手洗浄乾燥装置」という名称で、洗剤及び水による前洗浄、電解機能水による手洗いと、その後の手指乾燥が自動的に行える手洗浄乾燥装置に関する。
特許文献３に開示される発明は、手を挿入することにより、電解機能水による手洗いとその後の手の乾燥を自動で行う手洗浄乾燥装置であって、上部が開口され底部に排水のための排水口を有する容器と、手の存在で洗浄動作を開始させる始動センサと、該始動センサの感応により、水を開通させる第１の弁と、該第１の弁で開通された水を電気分解して殺菌性能を有する電解機能水を生成する電解生成手段と、該電解生成手段で生成された電解機能水を吐出口において所定角度で吐出させる吐出手段と、該吐出手段による前記電解機能水の吐出量が所定吐出量値を超えたか否か又は該電解機能水の吐出時間が一定時間を経過したか否かを判断する電解機能水吐出時間等判断手段と、該電解機能水吐出時間等判断手段による判断で前記所定吐出量値を超えたか又は前記一定時間を経過したと判断されたとき、前記電解機能水の吐出を停止させる吐出停止手段と、前記容器の開口回りの所定位置に取り付けられた手感知センサと、該手感知センサで手の存在を感知しており、かつ前記吐出停止手段による前記電解機能水の吐出が停止された後に起動され、風を供給する送風手段と、該送風手段より供給された空気を所定角度で吐出させるため、前記容器の開口回りの所定位置に配設された送風口と、前記手感知センサで手を感知しなくなったとき前記送風手段を停止させる送風停止手段とを備えるものである。
上記構成の特許文献３に開示される発明によれば、電解機能水による手洗いと、その後の手の乾燥を自動で行うことが可能になる。また、特許文献３に開示される発明によれば、一貫した手洗いにより途中の細菌汚染を防ぐことが出来る。さらに、特許文献３に開示される発明によれば、手洗いから乾燥に移る際に、水滴を周囲の床等に落とすことも無くなるので衛生的であるという効果を有する。
【先行技術文献】
【特許文献】
【０００６】
【特許文献１】特開２００７−１１５０２９公報
【特許文献２】特開昭６２−１０６７２９号公報
【特許文献３】特開２００１−１３７１５０号公報
【発明の概要】
【発明が解決しようとする課題】
【０００７】
特許文献１乃至特許文献３に開示される発明はいずれも健常者の手を洗浄することを想定した技術である。
通常、健常者が手を洗浄する際には、手指をこすり合わせることで、複雑な立体形状を有する手指の表面を効率良くきれいに洗浄することができる。
その一方で、手を自由に動かすことができない人の場合は、洗浄時に手指をこすり合わせる動作を自ら行うことができない場合も想定される。この場合、手指の表面に石けん水をかける、あるいは手指に水をかけるだけでは手指の隅々まできれいに洗浄することができないため、介助者による手指の表面のこすり洗いなどの手助けが必要であった。
【０００８】
本発明はかかる従来の課題に対処してなされたものでありその目的は、自動洗浄時に手指をこすり合わせる動作を行わなくとも手指の表面全体をきれいに洗浄することができ、かつ使用済の洗浄液が周囲に飛散することがない手指自動洗浄装置を提供することにある。
さらに、本発明は上記目的に加えて回収済の流体を装置の外に排出する際に周囲の環境をクリーンでかつ静かな状態にすることができる手指自動洗浄装置を提供することにある。
【課題を解決するための手段】
【０００９】
上記目的を達成するための第１の発明である手指自動洗浄装置は、手指の表面を自動で洗浄するための洗浄装置であって、上部に第１の開口を備え、かつ第１の中空部を備えるボウル状の排ミスト回収部と、この排ミスト回収部の第１の中空部上に配され、洗浄対象である手指の上面側に洗浄液を噴霧する噴霧構造を備えている第１の洗浄液噴霧部と、第１の開口の鉛直上方側でかつその周縁側に配され、洗浄対象である手指の周縁側に洗浄液を噴霧する噴霧構造を備えている第２の洗浄液噴霧部と、排ミスト回収部の排出口の下流側に配されている吸引部と、を備えていることを特徴とするものである。
上記構成の第１の発明において、排ミスト回収部は、第１の洗浄液噴霧部及び第２の洗浄液噴霧部から噴霧されて手指の洗浄に用いられた使用済の排ミストを受け止めて回収するという作用を有する。また、第１の洗浄液噴霧部は、使用者の手指の上面側に洗浄液を噴霧することで、洗浄液自体の洗浄力と、手指の表面に吹き付けられる際のミストの圧力により、使用者の手指の上面側を洗浄するという作用を有する。また、第２の洗浄液噴霧部は、使用者の手指の周縁側に洗浄液を噴霧することで、洗浄液自体の洗浄力と、手指の表面に吹き付けられる際のミストの圧力により、使用者の手指の周縁側を洗浄するという作用を有する。さらに、排ミスト回収部の排出口の下流側に配されている吸引部は、排ミスト回収部２の第１の中空部、及び、カバーの第２の中空部内に負圧を生じさせて、排ミストを排出口から強制的に排出させるという作用を有する。
【００１０】
第２の発明は、上述の第１の発明であって、手指自動洗浄装置はさらに、吸引部の下流側に配されて、排ミスト回収部から排出された流体から液体を分離するフィルタと、このフィルタを通過した気体を除湿する除湿部と、この除湿部から排出された除湿気体を排ミスト回収部の第１の開口側に導いて導出させる循環路と、を備えていることを特徴とするものである。
上記構成の第２の発明は、上述の第１の発明による作用と同じ作用に加えて、フィルタは、排ミスト回収部から排出された排ミストを含む流体から液体を除去するという作用を有する。また、除湿部はフィルタを通過した気体を除湿するという作用を有する。さらに、第２の発明では、除湿部において除湿された除湿気体が循環路を経て排ミスト回収部の第１の開口側に導出される。このため、第２の発明の使用時に、排気が手指自動洗浄装置から排出されない。これにより、第２の発明の使用時に、第２の発明である手指自動洗浄装置の周囲の湿度の上昇を抑えるとともに、排気音を小さくするという作用を有する。
【００１１】
第３の発明は、上述の第２の発明であって、手指自動洗浄装置はさらに、第１の開口側に導出された除湿気体を、排ミスト回収部の内側面上を排出口に向かって流動させる風向調整部を備えていることを特徴とするものである。
上記構成の第３の発明は、上述の第２の発明による作用と同じ作用に加えて、風向調整部は、排ミスト回収部の第１の開口側に導出された除湿気体を、排ミスト回収部の内側面上を排出口に向かって流動させるという作用を有する。
そして、第１の中空部内において、排ミスト回収部の内側面上を排出口に向かって流動する除湿気体は、排ミスト回収部の第１の開口の周辺の空気を第１の中空部内に引き込むという作用を有する。
よって、第３の発明によれば、第１及び第２の洗浄液噴霧部から噴霧されて手指の洗浄に用いられた排ミストを、排ミスト回収部内に引込んで回収することで、第１の開口周辺に飛散するのを防ぐという作用を有する。
【００１２】
第４の発明は、上述の第１乃至第３のいずれかの発明であって、手指自動洗浄装置はさらに、使用者の顔を撮像する撮像部と、撮像部において撮像された画像に基づいて使用者を特定する画像認証部と、この画像認証部において特定された使用者情報に関連付けて予め登録されている第１の開口の鉛直方向高さデータに基づいて第１の開口及びそれに付随する設備の鉛直方向高さを変更する高さ調整部と、を備えていることを特徴とするものである。
上記構成の第４の発明は、上述の第１乃至第３のそれぞれの発明による作用と同じ作用に加えて、撮像部は第４の発明である手指自動洗浄装置の前にいる使用者の顔を撮像するという作用を有する。また、画像認証部は、撮像部において撮像した使用者の顔の画像から手指自動洗浄装置の前にいる使用者を特定するという作用を有する。さらに、第４の発明では、使用者毎に最適な第１の開口の鉛直方向高さデータが使用者データに関連付けられて登録されている。また、画像認証部において手指自動洗浄装置の前にいる使用者が特定された場合は、その使用者情報に関連付けて登録されている第１の開口の鉛直方向高さデータが高さ調整部に送信される。さらに、高さ調整部では、この送信された第１の開口の鉛直方向高さデータに基づいて第１の開口及びそれに付随する設備の鉛直方向高さを変更するという作用を有する。
なお、上述の第４の発明において、「第１の開口に付随する設備」とは、排ミスト回収部に直接又は間接的に固設されていて、排ミスト回収部の上下動時に排ミスト回収部から分離することができない設備の総称である。
【００１３】
第５の発明は、上述の第１乃至第４のいずれかの発明であって、手指自動洗浄装置はさらに、洗浄水に洗剤を供給する洗剤供給部と、洗浄水に洗剤を溶解させて洗浄液を調整する洗浄液調整部と、を備えていることを特徴とするものである。
上記構成の第５の発明は、上述の第１乃至第４の発明による作用と同じ作用に加えて、洗剤供給部は洗浄水に洗剤を供給するという作用を有する。また、洗浄液調整部は、洗浄水に供給された洗剤を溶かして洗浄液を調整するという作用を有する。よって、第５の発明によれば、手指自動洗浄装置に対して洗剤を供給することで、手指自動洗浄装置内において自動で洗浄液を調整するという作用を有する。
【００１４】
第６の発明は、上述のような第１乃至第５のいずれかの発明であって、噴霧構造は、洗浄水を供給する洗浄水供給部と、洗浄液を供給する洗浄液供給部と、圧縮空気を供給する圧縮空気供給部と、を備え、洗浄水と圧縮空気とからなる第１の混合霧体、洗浄液と圧縮空気とからなる第２の混合霧体、及び、圧縮空気、から選択されるいずれかを噴霧構造から噴射することを特徴とするものである。
上記構成の第６の発明は、上述の第１乃至第５のそれぞれの発明による作用と同じ作用に加えて、噴霧構造における洗浄水供給部は、洗浄水を供給するという作用を有する。また、噴霧構造における洗浄液供給部は洗浄液を供給するという作用を有する。さらに、噴霧構造における圧縮空気供給部は、圧縮空気を供給するという作用を有する。そして、噴霧構造が、洗浄水供給部、洗浄液供給部及び圧縮空気供給部を備えていることで、この噴霧構造から、洗浄水と圧縮空気とからなる第１の混合霧体、洗浄液と圧縮空気とからなる第２の混合霧体、および、圧縮空気の３種類の流体を所望に切り替えて噴射することを可能にするという作用を有する。
【００１５】
第７の発明は、上述の第１乃至第６のいずれかの発明であって、第１の開口は、アームレストを備えていることを特徴とするものである。
上記構成の第７の発明は、第１乃至第６のそれぞれの発明による作用と同じ作用に加えて、第１の開口に設けられるアームレストは、使用者が手指を洗浄する間、使用者の腕を支えて使用者の身体的な負担を軽減するという作用を有する。
【発明の効果】
【００１６】
上述のような第１の発明によれば、使用者は、手指自動洗浄装置の第１の開口上に手指をかざしてそのままの状態を維持するだけで、第１の洗浄液噴霧部と第２の洗浄液噴霧部から噴霧されるミスト状の圧力流体により手指の表面全体をきれいに洗浄することができる。
また、第１の発明によれば、使用者の手指の全体をきれいに洗浄するために使用者は自らの手指をこすり合わせる動作を行う必要がない。このため、使用者は病気や怪我等により手指を自由に動かすことができない場合でも、自由に動かない手指を無理やり動かすことによる不快感や痛み、あるいは苦痛を伴うことなく手指をきれいに洗浄して衛生的な状態に保つことができる。
また、第１の発明によれば、病気や怪我等により手指を自由に動かすことができない使用者の手指を洗浄する際の介助者側の負担も大幅に軽減することができる。
さらに、第１の発明では、ミスト状の圧力流体を用いて使用者の手指を洗浄するため、使用済の洗浄液からなる排ミストが周囲に飛散する懸念がある。これに対して、第１の発明では、ボウル状の排ミスト回収部と、それに一体に固設されているカバーを備え、このカバー内において使用者の手指の洗浄を行うとともに、手指の洗浄中は、排ミスト回収部の排出口から排ミストを吸引して強制的に排気するため、手指自動洗浄装置の周囲への排ミストの飛散は起こらない。
よって、第１の発明によれば、使用者に対する身体的な負担を軽減しながらその手指の表面の全体をきれいに洗浄することができ、かつ、その際に排出される排ミストが周囲に飛散するおそれがない手指自動洗浄装置を提供することができる。
【００１７】
第２の発明は、上述のような第１の発明による効果と同じ効果に加えて、排ミスト回収部における第１の中空部、及び、カバーにおける第２の中空部から強制的に排気された流体を、循環路を通じて排ミスト回収部の１の中空部内に還流することで、第２の発明の使用時の排気を無くすことができる。
よって、第２の発明によれば、第２の発明の周囲の湿度の上昇、並びに、排気による騒音の発生を好適に抑制することができる。
【００１８】
第３の発明は、上述のような第２の発明による効果と同じ効果に加えて、風向調整部を備えていることで、排ミスト回収部の第１の開口の周囲の空気を第１の中空部内に引込むことができる。
この結果、第３の発明によれば、その使用時に、排ミスト回収部の第１の開口を囲むようにカバーを設けなくとも、第１及び第２の洗浄液噴霧部から噴射されたミストが周囲に飛散するのを好適に防ぐことができる。
よって、第３の発明によれば、手指自動洗浄装置の構造をシンプルにすることができるという効果を有する。
【００１９】
第４の発明は、上述の第１乃至第３のそれぞれの発明による効果と同じ効果に加えて、手指自動洗浄装置における第１の開口及びそれに付随する設備の鉛直方向高さを、それぞれの使用者にとって最適な位置に配置することができる。
この場合、自らの手指を自由に動かすことができない使用者が、第４の発明を用いて手指を洗浄する際に、不自然な姿勢を強いられないので、手指の洗浄時の使用者の身体的な負担を大幅に軽減することができる。
【００２０】
第５の発明は、上述のような第１乃至第４のそれぞれの発明による効果と同じ効果に加えて、手指自動洗浄装置において洗剤と洗浄水（例えば、水道水）とを用いて洗浄液を自動で調整することができる。
この場合、第５の発明ではそのメンテナンスの一環として装置に洗剤を供給することになる。この場合、洗剤に代えて洗浄液を第５の発明に供給する場合に比べて、装置全体をコンパクトにできる上、メンテナンスに要する手間や労力を削減することができる。
このような第５の発明によれば、第５の発明に水道水を導くための配管を接続した後は、必要に応じて第５の発明に対して洗剤を供給するだけでよいので、第５の発明を管理する側の負担を大幅に軽減することができる。
【００２１】
第６の発明は、上述の第１乃至第５のそれぞれの発明による効果と同じ効果に加えて、第１及び第２の洗浄液噴霧部における噴霧構造から、洗浄水と圧縮空気とからなる第１の混合霧体、洗浄液と圧縮空気とからなる第２の混合霧体、及び、圧縮空気、の３種類の流体を所望に切り替えて噴射することができる。このような、第６の発明によれば、第２の混合霧体を用いて使用者の手指の洗浄を行った後に、第１の混合霧体を用いて使用者の手に付着した洗浄液を洗い流すことができる。そして、さらにその後に、噴霧構造から圧縮空気を噴射させることで使用者の手指の乾燥を行うことができる。
よって、第６の発明によれば、洗浄液による使用者の手指の洗浄を完了した後に、別途使用者の手に付着している洗浄液を洗い流す作業を行ったり、さらにその後に、使用者の手指を拭いて乾かす作業を行ったりする必要がなくなる。
この場合、使用者は、自由に動かない手指を無理やり動かされることによる不快感や痛み、あるいは苦痛を感じることがないので、快適に手指の洗浄を終えることができる。また、介助者は、使用者が第６の発明により手指を洗浄した後に、使用者の手を拭く等の作業を別途行う必要がないので、介助者側の負担も大幅に軽減することができる。
【００２２】
第７の発明によれば、上述の第１乃至第６のそれぞれの発明による効果と同じ効果に加えて、使用者は第１の開口に設けられるアームレストに自身の手の荷重を預けた状態で手指の洗浄を行うことができる。このことは、第７の発明の使用時に、使用者が自力で自身の手及び腕を支えておく必要がないことを意味している。
この結果、使用者が第７の発明を用いて手指を洗浄する際の身体的な負担や苦痛を大幅に軽減することができるという効果を有する。
【図面の簡単な説明】
【００２３】
【図１】本発明の実施形態に係る手指自動洗浄装置の一部を欠いて示すイメージ図である。
【図２】本発明の実施形態に係る手指自動洗浄装置のシステム構成図である。
【図３】本発明の実施形態に係る第１の洗浄液噴霧部の使用状態を示す平面図である。
【図４】本発明の実施形態に係る第２の洗浄液噴霧部の使用状態を示す平面図である。
【図５】本発明の実施形態に係る噴霧構造の断面概念図である。
【図６】本発明の実施形態に係る洗剤調整部及びその周辺設備の概念図である。
【図７】（ａ）本発明の実施形態に係る洗剤供給部の断面概念図であり、（ｂ）は同洗剤供給部における第１の回転式弁のイメージ図であり、（ｃ）は同洗剤供給部における第２の回転式弁のイメージ図である。
【図８】（ａ）〜（ｃ）いずれも洗剤収容ボトルから洗剤供給管に洗剤が供給される過程を示す断面概念図である。
【図９】（ａ）本発明の実施形態に係る旋回流発生部を備えた排ミスト回収部の一部を切り欠いて示す側面図であり、（ｂ）同排ミスト回収部のＦ−Ｆ線矢視断面図である。
【図１０】変形例に係る旋回流発生部を備えた排ミスト回収部の要部の鉛直方向部分断面図である。
【図１１】別の変形例に係る旋回流発生部を備えた排ミスト回収部の要部の鉛直方向部分断面図である。
【図１２】別の変形例に係る旋回流発生部を備えた排ミスト回収部の要部の水平方向部分断面図である。
【発明を実施するための形態】
【００２４】
本発明の実施の形態に係る手指自動洗浄装置について図１乃至図１２を参照しながら詳細に説明する。
【００２５】
[手指自動洗浄装置の基本構成]
はじめに、図１及び図２を参照しながら本発明の実施形態に係る手指自動洗浄装置の基本構成について説明する。
図１は本発明の実施形態に係る手指自動洗浄装置の一部を欠いて示すイメージ図であり、図２は同手指自動洗浄装置のシステム構成図である。
図１，２に示すように本実施形態に係る手指自動洗浄装置１は、手の表面を自動で洗浄することができる設置型の洗浄装置である。
このような本実施形態に係る手指自動洗浄装置１は、使用者５０の手指５１を洗浄液２３で洗浄した際に生じる排ミストを受容して回収する第１の中空部２ｂを備えた排ミスト回収部２と、この排ミスト回収部２上に使用者５０の手指５１を配した際に、手指５１の上面側に洗浄液２３を噴霧する第１の洗浄液噴霧部３と、このとき手指５１の側縁側に洗浄液２３を噴霧する第２の洗浄液噴霧部５、及び、排ミスト回収部２の排出口２ｃ（後段における図３，４を参照）の下流側に設けられ、排ミスト回収部２の第１の中空部２ｂ内の排ミストを吸引するための負圧を生じさせる吸引部７を備えてなるものである。
【００２６】
また、上述のような本実施形態に係る手指自動洗浄装置１における第１の洗浄液噴霧部３、第２の洗浄液噴霧部５はともに、図１に示すように、使用者５０の手指５１の上面側及び周縁側のそれぞれに洗浄液２３を噴射するための噴霧構造４を備えている。なお、噴霧構造４の構造の詳細については後段において詳細に説明する。
加えて、図１に示すように、本実施形態に係る手指自動洗浄装置１では、噴霧構造４を備えた第１の洗浄液噴霧部３及び第２の洗浄液噴霧部５の先端部分が、排ミスト回収部２の第１の開口２ａ上に配設されている。
【００２７】
また、図１，２に示すように本実施形態に係る手指自動洗浄装置１は、必要に応じて、排ミスト回収部２の第１の開口２ａ上に覆設され、かつ手指５１を洗浄している際に生じる排ミストの飛散を防止するためのカバー６を備えていてもよい（任意選択構成要素）。
この場合、本実施形態に係る手指自動洗浄装置１におけるカバー６は、図１に示すように、排ミスト回収部２の第１の開口２ａ上をすっぽりと覆うようにこの第１の開口２ａに一体に設けることができる。また、このカバー６は、このカバー６の第２の中空部６ａ内に使用者５０の手指５１を出し入れするための第２の開口６ｂを備えている。
加えて、図１に示すように、本実施形態に係る手指自動洗浄装置１がカバー６を備える場合は、噴霧構造４を備えた第１の洗浄液噴霧部３及び第２の洗浄液噴霧部５の先端部分が、カバー６の第２の中空部６ａ内に収容することができる。
なお、以下に示す本実施の形態では、排ミスト回収部２の第１の開口２ａにカバー６を備えている場合を例に挙げて説明する。
また、本実施形態に係る手指自動洗浄装置１が、カバー６を備えない場合は、排ミスト回収部２の第１の開口２ａが、カバー６の第２の開口６ｂに相当する構成になる。
【００２８】
上述のような本実施形態に係る手指自動洗浄装置１では、使用者５０が自らの手指５１をカバー６の第２の開口６ｂから差し入れて、排ミスト回収部２の第１の中空部２ｂ上に配した際に、第１の洗浄液噴霧部３及び第２の洗浄液噴霧部５の噴霧構造４からミスト状の洗浄液２３が適度な圧力で使用者５０の手指５１の表面に噴射される。
このとき、使用者５０の手指５１の上面側には第１の洗浄液噴霧部３から、また、同手指５１の側縁側には第２の洗浄液噴霧部５から、それぞれミスト状の洗浄液２３が噴射されることで、使用者５０は自らの手指５１を一切動かすことなく、つまり、使用者５０が自らの手指５１をこすり合わせる等の動作を何ら行うことなしに、その上面側（手の平側又は手の甲側）及びその周縁側をミスト状の洗浄液２３によりきれいに洗浄することができる。なお、手指５１の裏側（手の甲側又は手の平側）を洗浄するには、使用者５０の手指５１の上下面を反転させた状態で再度手指自動洗浄装置１により手指５１を洗浄すればよい。
したがって、本実施形態に係る手指自動洗浄装置１によれば、使用者５０が病気や怪我等により自らの手指５１を自由に動かすことができない場合でも、その手指５１の表面全体をきれいに洗浄することができるという効果を有する。
【００２９】
また、上述のような本実施形態に係る手指自動洗浄装置１では、使用者５０の手指５１に供給される洗浄液２３がミスト状の圧力流体であるため、使用済の排ミストが周囲に飛散してしまう懸念がある。
これに対して本実施形態に係る手指自動洗浄装置１では、排ミスト回収部２の第１の開口２ａに一体にカバー６を備えること、さらにこのカバー６の中空部内に噴霧構造４を備えた第１の洗浄液噴霧部３及び第２の洗浄液噴霧部５の先端部分を収容しておくこと、加えてカバー６おける第２の中空部６ａ及び排ミスト回収部２における第１の中空部２ｂ内の排ミストを吸引して強制的に排出口２ｃから排出することにより、使用済の排ミストが手指自動洗浄装置１の周囲に拡散するのを防止することができる。
したがって、本実施形態に係る手指自動洗浄装置１によれば、使用者５０が手指５１をほとんど動かすことができなくともその表面全体をきれいに洗浄することができる。しかも、その際に生じる洗浄液２３の排ミストが周囲に飛散するのを確実に防止することができる。
また、本実施形態に係る手指自動洗浄装置１がカバー６を備えない場合でも、第１の中空部２ｂ内の空気が排出口２ｃから常時吸引される。このため、使用済の排ミストが手指自動洗浄装置１の周囲に拡散する心配はない。
【００３０】
なお、本実施形態に係る１における吸引部７は、排ミスト回収部２の第１の中空部２ｂ、及び、カバー６の第２の中空部６ａ内に負圧を生じさせることができるものであればどのようなものでも使用可能であるが、例えば、防水加工を施した電動ファン等を使用することができる。
【００３１】
また、本実施形態に係る手指自動洗浄装置１は、体が不自由な人が使用することを前提としている。このため、体が不自由な使用者５０が、自由に動かすことのできない手指５１を快適に洗浄することができるよう、カバー６の第２の開口６ｂの鉛直方向高さが、個々の使用者にとって身体的な苦痛が生じない高さに調整できることが望ましい。
このような事情に鑑み本実施形態に係る手指自動洗浄装置１は、図１に示すように、使用者５０の顔を撮像する撮像部１１と、この撮像部１１において撮像された画像に基づいて手指自動洗浄装置１の前にいる使用者５０を特定する画像認証部１２と、この画像認証部１２において特定された使用者情報に関連付けて予め登録されている第２の開口６ｂの鉛直方向高さデータに基づいて、第２の開口６ｂ及びそれに付随する設備の鉛直方向高さ（図１中の符号Ａで示す方向を参照）を変更する高さ調整部１３とを備えていてもよい。なお、撮像部１１、画像認証部１２及び高さ調整部１３はいずれも任意選択構成要素である。
【００３２】
そして、図１に示すように、本実施形態に係る手指自動洗浄装置１が図１に示すような撮像部１１、画像認証部１２及び高さ調整部１３を備えている場合は、手指自動洗浄装置１の前に使用者５０のうちのひとりが立った場合に、その使用者５０の顔が撮像部１１により撮像される。次に、撮像部１１において撮像された使用者５０の顔の画像の画像データが画像認証部１２に送信される。そして、画像認証部１２では、例えば、撮像部１１から送られてきた使用者５０の画像データと、予め画像認証部１２に登録されている全使用者５０の顔の画像データとを照合する等して、手指自動洗浄装置１の前にいる使用者５０を特定できるよう構成されていてもよい。
また、本実施形態に係る手指自動洗浄装置１では、個々の使用者５０毎に最適な第２の開口６ｂの鉛直方向高さデータが、個々の使用者情報に関連付けられて登録されている。このため、画像認証部１２において手指自動洗浄装置１の前にいる使用者５０が特定された場合は、その使用者情報に関連付けられて予め登録（記憶）されている第２の開口６ｂの鉛直方向高さデータに基づいて、高さ調整部１３が駆動されて、第２の開口６ｂ及びそれに関連する設備（例えば、カバー６、排ミスト回収部２、第１の洗浄液噴霧部３及び第２の洗浄液噴霧部５等）の鉛直方向高さが変更される。
この結果、使用者５０は自らの体に最も負担がかからない体勢で、手指自動洗浄装置１により手指５１を洗浄することができる。
なお、本実施形態に係る手指自動洗浄装置１が、例えば第２の開口６ｂ側（装置の正面側）に座面の高さを調整することができる椅子等を別途備えるなどして、使用者５０の手指５１の鉛直方向高さを自在に変更できる場合は、上述のような撮像部１１、画像認証部１２及び高さ調整部１３を備えていなくともよい。
【００３３】
さらに、本実施形態に係る手指自動洗浄装置１は、先にも述べた通り自身の手指５１を自由に動かすことができない使用者５０が使用することを想定している。したがって、このような使用者５０にとっては手指５１を洗浄している間、自身の手指５１を所定の位置（高さ）に保持しておくことが困難な場合も想定される。
そこで、本実施形態に係る手指自動洗浄装置１は、図１に示すように、洗浄対象である手指５１を出し入れするための第２の開口６ｂにアームレスト１４を備えていてもよい（任意選択構成要素）。
そして、本実施形態に係る手指自動洗浄装置１がアームレスト１４を備えている場合は、使用者５０が手指５１を洗浄する間、自身の腕の荷重をアームレスト１４に預けておくことができるので、より快適に手指５１の洗浄を行うことができる。
【００３４】
[本実施形態に係る手指自動洗浄装置の細部構造]
ここで、図３を参照しながら本実施形態に係る第１の洗浄液噴霧部３について詳細に説明する。
図３は本発明の実施形態に係る第１の洗浄液噴霧部の使用状態を示す平面図である。なお、図１，２に記載されたものと同一部分については同一符号を付し、その構成についての説明は省略する。
図３に示すように、本実施形態に係る第１の洗浄液噴霧部３は、例えば、複数の噴霧構造４を水平方向に面状に配したものでもよい。
より具体的には、第１の洗浄液噴霧部３は、その内部に少なくとも圧縮空気及び洗浄液２３を供給する管（図示せず）を収容した供給配管３ａを、手の平の形を模した略Ｕ字状、又は、それに類する形状に成形してなるものに、複数の噴霧構造４を設けたものを用いることができる。
なお、図３には示していないが、第１の洗浄液噴霧部３において噴霧構造４を備えている先端部分は、カバー６の第２の中空部６ａ内に収容されている。
【００３５】
そして、図３に示す第１の洗浄液噴霧部３では、個々の噴霧構造４から使用者５０の手指５１の上面側に、適度な圧力を有するミスト状の洗浄液２３を少なくとも噴射することができる。この場合、使用者５０の手指５１の表面を、適度な圧力を有するミスト状の洗浄液２３による摩擦と、洗浄液２３自体の洗浄力（例えば、皮脂等の分解作用等）によりきれいに洗浄することができる。
また、本実施形態に係る第１の洗浄液噴霧部３は、図３に示すように、左右の手指５１のそれぞれに対応するように第１の洗浄液噴霧部３を一対備えていてもよいし、特に図示しないが、第１の複数の噴霧構造４が面状に配される洗浄液噴霧部３を１つのみ備えていてもよい。特に後者の場合は、１つの第１の洗浄液噴霧部３を、手指５１における親指側と小指側を行き来するように（図３中の符号Ｂで示す方向）にスライド可能に設けてもよい。
【００３６】
さらに、本実施形態に係る第１の洗浄液噴霧部３は、図３に示すように、左右の手指５１のそれぞれに対応するように一対の第１の洗浄液噴霧部３を備え、かつこの一対の第１の洗浄液噴霧部３を、手指５１における親指側と小指側を行き来するように（図３中の符号Ｂで示す方向に）スライド可能に取設してもよい。
この場合、一対の第１の洗浄液噴霧部３が手指５１における親指側と小指側を行き来することで、適度な圧力を有するミスト状の洗浄液２３の噴射方向中心位置が、使用者５０の手指５１の上面側において、親指側と小指側を行き来するように移動することなる。この結果、第１の洗浄液噴霧部３により使用者５０の手指５１の上面側をくまなくかつ迅速に洗浄することができる。
【００３７】
次に、図４を参照しながら本実施形態に係る第２の洗浄液噴霧部５について詳細に説明する。
図４は本発明の実施形態に係る第２の洗浄液噴霧部の使用状態を示す平面図である。なお、図１乃至図３に記載されたものと同一部分については同一符号を付し、その構成についての説明は省略する。
本実施形態に係る第２の洗浄液噴霧部５は、例えば、２種類の親指側洗浄液噴霧部５ａ及び指先側洗浄液噴霧部５ｂにより構成されていてもよい。
より具体的には、第２の洗浄液噴霧部５は、図４に示すように、使用者５０の左右の手指５１におけるそれぞれの親指側に配され、かつ少なくとも１の噴霧構造４を備えてなる親指側洗浄液噴霧部５ａと、使用者５０の左右の手指５１の指先側に配され、かつ少なくとも１の噴霧構造４を備えてなる指先側洗浄液噴霧部５ｂとにより構成されていてもよい。
なお、本実施形態に係る第２の洗浄液噴霧部５（親指側洗浄液噴霧部５ａ及び指先側洗浄液噴霧部５ｂ）における噴霧構造４からは、先の第１の洗浄液噴霧部３の場合と同様に、適度な圧力を有するミスト状の洗浄液２３を少なくとも噴射することができる。
この場合、使用者５０の手指５１の洗浄時に、手指５１の上面側に加えて、手指５１の周縁側（手指５１の指先側、及び、親指側の側面）についてもきれいに洗浄することができる。
したがって、使用者５０の手指５１を第１の洗浄液噴霧部３のみを用いて洗浄する場合に比べて、手指５１の洗浄効果を一層高めることができる。
【００３８】
また、親指側洗浄液噴霧部５ａの具体的態様として、例えば図４に示すように、少なくとも圧縮空気及び洗浄液２３を供給するための管（図示せず）をその内部に収容してなる供給配管５ｃ１の先端に、水平方向への角度変更が可能な噴霧構造４を備えたものを使用することができる。
この場合、供給配管５ｃ１の先端に設けられている噴霧構造４の、供給配管５ｃ１の軸方向に対する取付け角度を自在に変更することが可能になる。これにより、噴霧構造４における噴射方向中心位置を、手指５１における親指の指先側（図４中の符号Ｃで示す方向）から親指の付け根側（図４中の符号Ｄで示す方向）に自在に移動させることができる。この結果、図４中に示す使用者５０の手指５１の親指側の側縁をきれいに洗浄することができる。
【００３９】
さらに、指先側洗浄液噴霧部５ｂの具体的態様として、例えば図４に示すような、少なくとも圧縮空気及び洗浄液２３を供給するための管（図示せず）をその内部に収容してなる供給配管５ｃ２の周側面上で、かつ手指５１の指先がある側に少なくとも１つの噴霧構造４を備えたものを使用することができる。
また、このような指先側洗浄液噴霧部５ｂは、供給配管５ｃ２の中心軸方向に指先側洗浄液噴霧部５ｂ自体をスライド可能に構成されていてもよい。
そして、指先側洗浄液噴霧部５ｂが上述のように構成される場合は、この指先側洗浄液噴霧部５ｂのスライドに伴って、供給配管５ｃ２の周側面上に設けられている噴霧構造４の噴射方向中心位置を、手指５１における親指側から小指側に、又は、その逆方向（図４中の符号Ｅで示す方向）に移動させることができる。
この結果、指先側洗浄液噴霧部５ｂにより手指５１における指同士の間もきれいに洗浄することができる。
したがって、第２の洗浄液噴霧部５が親指側洗浄液噴霧部５ａ及び指先側洗浄液噴霧部５ｂを備えていることで、使用者５０の手指５１の周縁側についてもくまなくきれいに洗浄することができる。
【００４０】
なお、本実施形態に係る第２の洗浄液噴霧部５を構成する親指側洗浄液噴霧部５ａ及び指先側洗浄液噴霧部５ｂはいずれも、噴霧構造４を備えた先端部分がカバー６の第２の中空部６ａ内に収容されている。
さらに、本実施形態に係る手指自動洗浄装置１による手指５１の洗浄時に、手指５１における手の平側と手の甲側を反転させることで、手指５１における手の甲側及び手の小指側の側面も、第１の洗浄液噴霧部３及び第２の洗浄液噴霧部５を用いてくまなく洗浄することができる。
また、本実施形態に係る手指自動洗浄装置１では、上述の第１の洗浄液噴霧部３及び第２の洗浄液噴霧部５（親指側洗浄液噴霧部５ａ及び指先側洗浄液噴霧部５ｂ）がともにカバー６の第２の中空部６ａ内に収容されており、しかも、手指５１の洗浄時に、カバー６の第２の中空部６ａ内、及び、排ミスト回収部２の第１の中空部２ｂ内の空気が常時吸引されて排出口２ｃから排出されるため、第１の洗浄液噴霧部３を左右方向、また、親指側洗浄液噴霧部５ａの先端を水平方向に、さらには指先側洗浄液噴霧部５ｂをその中心軸方向にそれぞれスライドさせても、使用済みの排ミストがカバー６の外に飛散することはない。
【００４１】
上述の通り、本実施形態に係る手指自動洗浄装置１が、第１の洗浄液噴霧部３及び第２の洗浄液噴霧部５を備えていることで、使用者５０はカバー６内において手指５１を殆ど動かさなくても、その表面の全域をくまなくきれいに洗浄することができる。
よって、本実施形態に係る手指自動洗浄装置１によれば、使用者５０がその手指５１をほとんど動かすことができない場合でも、使用者５０に対して身体的な苦痛を伴うことなく快適にかつ確実に手指５１の表面の全域をきれいに洗浄することができる。
【００４２】
続いて、図５を参照しながら本実施形態に係る噴霧構造４の詳細な構造について説明する。
図５は本発明の実施形態に係る噴霧構造の断面概念図である。なお、図１乃至図４に記載されたものと同一部分については同一符号を付し、その構成についての説明は省略する。
本実施形態に係る噴霧構造４は、図５に示すように、圧縮空気２８を供給する圧縮空気供給管２６ｃにおける噴霧口４ａに近接する位置に、洗浄液２３を供給するための洗浄液供給管２６ａを少なくとも備えてなるものである。
図５に示す噴霧構造４では、噴霧口４ａに近接する位置の圧縮空気供給管２６ｃの流路が狭くなっており、この流路が狭まった部分に洗浄液供給管２６ａが接続されている。
このため、圧縮空気供給管２６ｃ内を噴霧口４ａに向かって圧縮空気２８を流動させると、狭まった部分に噴霧口４ａ側に向かう吸引力が発生し、この吸引力により洗浄液供給管２６ａ内の洗浄液２３が圧縮空気供給管２６ｃ内に吸引される。
そして、圧縮空気供給管２６ｃ内に引き込まれた洗浄液２３が、噴霧口４ａに近接する位置において、圧縮空気２８とともに噴霧口４ａから噴射されることで、噴霧構造４の噴霧口４ａからミスト状でかつ適度な圧力を有する洗浄液２３が噴射される。
よって、本実施形態に係る噴霧構造４によれば、使用者５０が自らの手指５１をこすり合わせることができなくとも、噴霧構造４の噴霧口４ａから噴出されるミスト状でかつ適度な圧力を有する洗浄液２３により、使用者５０の手指５１の表面全体を、あたかも手指５１のこすり洗いを行ったかのように、くまなくきれいに洗浄することができる。
【００４３】
さらに、本実施形態に係る噴霧構造４は、図５に示すように、圧縮空気供給管２６ｃの流路が狭まった部分に、洗浄液供給管２６ａに加えて、洗剤等が溶解されていない洗浄水１８（例えば、洗浄水等）を供給するための洗浄水供給管２６ｂ２を接続しておいてもよい（任意選択構成要素）。
この場合、例えば、洗浄液供給管２６ａに電磁弁２７ａを、洗浄水供給管２６ｂ２に電磁弁２７ｂをそれぞれ備えることで、圧縮空気供給管２６ｃに、洗浄液２３のみを供給する状態と、洗浄水１８のみを供給する状態と、洗浄液２３及び洗浄水１８のいずれも供給しないで圧縮空気２８のみを供給する状態、の３つの状態を自在に切り替えることが可能になる。
そして、噴霧構造４の噴霧口４ａから圧縮空気２８と洗浄液２３とからなる混合霧体（第２の混合霧体）を噴射する場合は、この第２の混合霧体により使用者５０の手指５１の表面を洗浄することができる。
また、噴霧構造４の噴霧口４ａから圧縮空気２８と洗浄水１８（例えば、水道水）からなる混合霧体（第１の混合霧体）を噴射する場合は、この第１の混合霧体により、使用者５０の手指５１の表面に付着した洗浄液２３を洗い流すことができる。
そして、噴霧構造４の噴霧口４ａから圧縮空気２８のみを噴射する場合は、使用者５０の手指５１の表面を乾かすことができる。
【００４４】
よって、本実施形態に係る噴霧構造４における圧縮空気供給管２６ｃに、洗浄液供給管２６ａ及び洗浄水供給管２６ｂ２の両者が接続される場合は、使用者５０の手指５１の洗浄、同手指５１からの洗浄液２３の洗い流し、並びに、洗浄液２３を洗い流した後の手指５１の乾燥、の全てを図５に示す１種類の構造の噴霧構造４により行うことができる。
この場合、使用者５０は、本実施形態に係る手指自動洗浄装置１で手指５１を洗浄した後に、別途他の場所で洗浄液２３を洗い流し、さらにその後に手指５１を乾燥させる作業を行う必要がなくなる。この結果、使用者５０が手指５１を洗浄する際の負担を大幅に軽減することができる。
また、図５に示すような噴霧構造４を備えてなる本実施形態に係る手指自動洗浄装置１によれば、手指５１の洗浄、洗浄液２３の洗い流し、手指５１の乾燥の上記３つの動作を１種類の噴霧構造４により実現することができるので、その構造がシンプルでしかも高性能な手指自動洗浄装置を提供することができる。
【００４５】
さらに、本実施形態に係る手指自動洗浄装置１では、同装置内において洗浄水１８（例えば、水道水）と洗剤を適宜混合して自動で洗浄液２３を調整できるよう構成してもよい。
ここで本実施形態に係る手指自動洗浄装置１における洗剤調整部２０について図６を参照しながら詳細に説明する。
図６は本発明の実施形態に係る洗剤調整部及びその周辺設備の概念図である。なお、図１乃至図５に記載されたものと同一部分については同一符号を付し、その構成についての説明は省略する。
本実施形態に係る手指自動洗浄装置１は、図６に示すように、例えば、粉状（又は液状）の洗剤１９と洗浄水１８（例えば水道水）とを混合するための洗剤供給管１７が接続されたベンチュリー管１６、並びに、洗浄水１８中に混合された洗剤１９を洗浄水１８中に溶解させるための洗浄液調整部２０を備えていてもよい。なお、図６に示すベンチュリー管１６、洗剤供給管１７及び洗浄液調整部２０はいずれも任意選択構成要素である。
【００４６】
より具体的には、本実施形態に係る手指自動洗浄装置１において洗浄水１８に洗剤１９を混合するための混合構造としては、例えば、図６に示すように、ベンチュリー管１６の上流側に洗浄水供給管２６ｂ１が、またベンチュリー管１６の下流側に導入管２４がそれぞれ接続され、さらにベンチュリー管１６において流路が狭まっている部分に洗剤供給管１７を接続されたものを用いることができる。
このような洗剤１９の混合構造では、洗浄水供給管２６ｂ１から洗浄水１８がベンチュリー管１６に流入した際に、ベンチュリー管１６の流路が狭まった部分における流速が速くなる。これに伴い、ベンチュリー管１６の流路が狭まった部分に接続される洗剤供給管１７内に負圧が生じ、洗剤供給管１７内の洗剤１９が、流路が狭まった部分の下流側に吸引される。
よって、ベンチュリー管１６の下流側に接続される導入管２４では、洗浄水１８と洗剤１９の混合流体が形成されることになる。
【００４７】
このとき、洗剤１９が液体である場合は、洗剤１９が洗浄水１８中に容易に分散して溶解するため、導入管２４内の混合流体をそのまま先の図５に示す噴霧構造４に供給しても問題が生じるおそれは低い。
その一方で、洗剤１９が粉体である場合は、単に洗浄水１８中に洗剤１９を混合しただけでは、十分に洗剤１９を溶解させることができない場合も想定される。この場合、噴霧構造４に向かって流動する間に、溶解しきれなかった洗剤１９により目詰まりが生じるおそれがある。
上述のような不具合を回避する目的で、本実施形態に係る手指自動洗浄装置１において、洗浄水１８と粉体状の洗剤１９を用いて洗浄液２３を調整する場合は、導入管２４の下流側に洗浄液調整部２０（任意選択構成要素）を備えていてもよい。
このような洗浄液調整部２０は、例えば、図６に示すように、内部に液体を収容可能な中空状の収容器２１と、この収容器２１の底部に一体に設けられて高周波数の音波を生じさせる高周波発生部２２と、収容器２１内に収容された洗浄液２３を先の第１の洗浄液噴霧部３及び第２の洗浄液噴霧部５に供給するための洗浄液供給管２６ａとを備えてなるものでもよい。なお、洗浄液供給管２６ａはその流路に、収容器２１内において調整された洗浄液２３を洗浄液噴霧部３及び第２の洗浄液噴霧部５に送り出すためのポンプＰ１を備えている。
【００４８】
このような洗浄液調整部２０では、導入管２４を介して収容器２１内に送給された洗浄水１８と洗剤１９との混合体に対して、高周波発生部２２により高周波を付加することができる。これにより、洗浄水１８中における未溶解の洗剤１９が、洗浄水１８中にスムーズに溶解して略均質な洗浄液２３になる。
よって、本実施形態に係る手指自動洗浄装置１が図６に示すような洗浄液調整部２０を備える場合は、洗浄水１８及び粉状の洗剤１９から洗浄液２３を調整して用いる場合に、洗浄水１８中に十分に溶解しきらなかった洗剤１９で洗浄液供給管２６ａに目詰まりが生じるのを好適に防ぐことができる。
【００４９】
なお、本実施形態に係る手指自動洗浄装置１が特に撮像部１１、画像認証部１２及び高さ調整部１３を備える場合は、各使用者５０の使用者情報として、それぞれの使用者にとっての最適な第１，第２の混合霧体の圧力データや、洗浄液２３の濃度データを併せて関連付けて登録しておいてもよい。この場合、手指自動洗浄装置１の使用者５０毎に噴霧構造４から噴射される圧力流体の圧力や、洗浄液２３の濃度を変更することが可能になる。
この場合、使用者５０の好みや身体状態に応じて最適な圧力の混合霧体及び／又は最適な濃度の洗浄液２３を供給することができる。よって、このような本実施形態に係る手指自動洗浄装置１によれば、より高性能でかつ手指５１の洗浄をより快適に行うことができる手指自動洗浄装置を提供することができる。
なお、本実施形態に係る手指自動洗浄装置１において噴霧構造４から噴射される混合流体（例えば、第１の混合霧体、第２の混合霧体）や圧縮空気の圧力を所望に変えるには、先の図５に示す噴霧構造４において圧縮空気供給管２６ｃに供給される圧縮空気２８の圧力を所望に変更するだけでよい。
【００５０】
さらに、本実施形態に係る手指自動洗浄装置１において、使用者５０毎に洗浄液２３の濃度を変更する場合は、手指自動洗浄装置１の使用者５０が代わる度に、新たに洗浄液２３を調整する必要がある。
この場合は、先の図６に示す洗浄液調整部２０における収容器２１に、排出管２５を設け、さらにこの排出管２５の流路にポンプＰ２を別途設けておくとよい。
この場合、本実施形態に係る手指自動洗浄装置１の使用者５０が代わった際に、収容器２１内に残存する洗浄液２３を排出管２５及びポンプＰ２により外部に排出することができる。そして、この後に収容器２１内において新たな洗浄液２３を調整することができる。
【００５１】
また、本実施形態に係る手指自動洗浄装置１において洗剤１９及び洗浄水１８により洗浄液２３を調整する場合で、かつ、手指自動洗浄装置１の使用者５０毎に洗浄液２３の濃度を調整する必要がある場合は、先の図６に示す洗浄水１８と洗剤１９の混合構造において、洗剤供給管１７に供給される洗剤１９の量を適宜変更する必要がある。
このため、本実施形態に係る手指自動洗浄装置１は、先の図２に示すように、洗浄液調整部２０の上流側に、洗剤供給管１７に供給する洗剤１９の供給量を調整することができる洗剤供給部２９を備えていてもよい(任意選択構成要素)。
【００５２】
図７（ａ）は本発明の実施形態に係る洗剤供給部の断面概念図であり、（ｂ）は同洗剤供給部における第１の回転式弁のイメージ図であり、（ｃ）は同洗剤供給部における第２の回転式弁のイメージ図である。なお、図１乃至図６に記載されたものと同一部分については同一符号を付し、その構成についての説明は省略する。
本実施形態に係る手指自動洗浄装置１における洗剤供給部２９は、例えば、洗剤供給管１７の上流側に配される洗剤供給口１７ａに、第１の回転式弁３１を備えた供給弁ユニット４４を介設して、洗剤１９を収容した洗剤収容ボトル３０を接続したものでもよい。
【００５３】
上述の洗剤供給部２９において、第１の回転式弁３１（供給弁ユニット４４）は、洗剤収容ボトル３０内に収容される洗剤１９の供給と停止を切り替えるという作用を有する。また、洗剤供給管１７の洗剤供給口１７ａ側に設けられる、第２の回転式弁３２は、第１の回転式弁３１から供給された洗剤１９を、単位時間当たりの供給量を均一化しながら洗剤供給管１７の下流側に供給するという作用を有する。
上述のような第１の回転式弁３１としては、例えば、図７（ｂ）に示すように、回転軸３１ａにより一体に連結される一対の円盤状の回転子３１ｃの間に、矩形状の仕切り板３１ｂ（弁）を一体に固設したものを用いることができる。
このような第１の回転式弁３１では、図７（ｂ）に示すように、一対の回転子３１ｃを均等に２等分するように、回転軸３１ａの周方向に仕切り板３１ｂが突設されている。
また、上述のような第２の回転式弁３２としては、例えば、図７（ｃ）に示すように、回転軸３２ａにより一体に連結される一対の円盤状の回転子３２ｃの間に、矩形状の仕切り板３２ｂ（弁）を一体に固設したものを用いることができる。
このような第２の回転式弁３２では、図７（ｃ）に示すように、一対の回転子３２ｃを均等に４等分するように、回転軸３１ａの周方向に仕切り板３２ｂが突設されている。
さらに、供給弁ユニット４４又は洗剤供給管１７をなす中空管内において、上述の第１，第２の回転式弁３１，３２を、それぞれの回転軸３１ａ，３２ａを基軸に回転させるには、第１，第２の回転式弁３１，３２を収容する部分の中空管が、少なくとも角筒状をなしている必要がある（図７（ｂ），（ｃ）を参照）。
【００５４】
さらに、第１，第２の回転式弁３１，３２を角筒状の中空管内で回転させる場合、仕切り板３１ｂ，３２ｂには、第１，第２の回転式弁３１，３２の回転を妨げように、洗剤１９による圧力が作用する。
これに対して本実施形態に係る洗剤供給部２９では、第１，第２の回転式弁３１，３２を収容する角筒状管体において、第１，第２の回転式弁３１，３２に近接する位置の管体の内径を局所的に縮径しておくことで、第１，第２の回転式弁３１，３２に作用する抵抗を軽減している。
より具体的には、本実施形態に係る洗剤供給部２９では、図７（ａ）に示すように、第１，第２の回転式弁３１，３２に隣接する位置の角筒状管体内に、回転補助部３１ｄ，３２ｄを突設しておくことで、管体の内径を局所的に縮径している。
なお、角筒状管体内において回転補助部３１ｄ，３２ｄは、その平坦面が回転軸３１ａ，３１ｂの中心軸と平行になるように配されている。
【００５５】
次に、図８を参照しながら第１の回転式弁３１の動作についてより詳細に説明する。図８（ａ）〜（ｃ）は、いずれも洗剤収容ボトルから洗剤供給管に洗剤が供給される過程を示す断面概念図である。なお、図１乃至図７に記載されたものと同一部分については同一符号を付し、その構成についての説明は省略する。
上述のような第１の回転式弁３１では、図８（ａ）〜（ｃ）に示すように、回転軸３１ａの回転に伴って、角筒状管体の内側面に対する仕切り板３１ｂのなす角度が変わる。
より具体的には、図８（ａ）に示すように、第１の回転式弁３１ｂの仕切り板３１ｂが水平状を成している状態から、図８（ｂ）に示すように、仕切り板３１ｂと回転補助部３１ｄとが一直線状に並んだ状態になるまでは、第１の回転式弁３１から洗剤１９は導出されない。
この後、図８（ｂ）に示す状態から仕切り板３１ｂをさらに反時計回りに回動させると、仕切り板３１ｂと回転補助部３１ｄの隙間から洗剤１９が洗剤供給管１７に導出し始める。そして、図８（ｂ）に示すように、第１の回転式弁３１を収容する角筒状管体の内側面と、仕切り板３１ｂとが略平行をなすとき、第１の回転式弁３１の開度は最大になる。つまり、第１の回転式弁３１は全開となる。
よって、洗剤収容ボトル３０が第１の回転式弁３１を備える場合は、回転軸３１ａを回転させるだけで、洗剤収容ボトル３０の開口３０ａの開閉状態を所望に切り替えることができる。そして、これにより洗剤収容ボトル３０内に収容される洗剤１９を、洗剤供給管１７に供給することができる。さらに、洗剤収容ボトル３０における第１の回転式弁３１の開度を調整することで、洗剤供給管１７に供給される洗剤１９の供給量を適宜調整することができる。
【００５６】
なお、本実施の形態に係る洗剤供給部２９では、個々の洗剤収容ボトル３０の開口３０ａに第１の回転式弁３１を一体に備えていてもよいが、この場合は、洗剤収容ボトル３０を使い捨てにする際に不経済である。
このため、例えば図７（ａ）及び図８に示す洗剤供給部２９のように、洗剤１９を収容する洗剤収容ボトル３０とは別に、第１の回転式弁３１を備えた供給弁ユニット４４を準備しておいてもよい。この場合は、洗剤供給管１７の洗剤供給口１７ａと、洗剤収容ボトル３０の開口３０ａとの間に、供給弁ユニット４４を後付けすることができる。これにより、洗剤収容ボトル３０に対して外部から操作可能な開閉弁を、後から付加することができる。
そして、本実施形態に係る洗剤供給部２９が供給弁ユニット４４を別体として備える場合は、洗剤収容ボトル３０を廉価にすることができる。この結果、手指自動洗浄装置１の使用時のランニングコストを削減することができる。
【００５７】
なお、本実施形態に係る洗剤供給部２９では、供給弁ユニット４４を別体として備える場合を例に挙げて説明しているが、第１の回転式弁３１を洗剤収容ボトル３０又は洗剤供給管１７に一体に設けてもよい。この場合も、支障なく目的とする機能を発揮させることができる。
【００５８】
その一方で、図７，８に示すような第１の回転式弁３１を用いるだけでは、洗剤１９の供給量の微調整が難しい場合がある。
このような事情に鑑み本実施形態に係る手指自動洗浄装置１の洗剤供給部２９は、上述のような第１の回転式弁３１の下流側に第２の回転式弁３２を備えていてもよい。
このような第２の回転式弁３２は、上述の第１の回転式弁３１における断面一文字状の仕切り板３１ｂに代えて、断面十字状の仕切り板３２ｂを備えてなるものである。
そして、第２の回転式弁３２を備えていることで、図７（ａ）に示すように仕切り板３２ｂが回転軸３２ａを基軸に反時計回りに回転する際に、仕切り板３２ｂにより区画された容積に相当する量の洗剤１９を、所望の周期で洗剤供給管１７に供給し続けることができる。
【００５９】
この結果、第２の回転式弁３２における回転軸３２ａを連続的に回転させることで、洗剤供給管１７に対して略均一な量の洗剤１９を連続的に供給することができる。
よって、本実施形態に係る洗剤供給部２９では、第１の回転式弁３１に加えて、その下流側に第２の回転式弁３２を備えていることで、洗剤供給管１７への洗剤１９の供給量を高精度に調整することができる。
この結果、本実施形態に係る手指自動洗浄装置１が、図７（ａ）に示すような洗剤供給部２９（第１の回転式弁３１及び第２の回転式弁３２）を備えていることで、本実施形態に係る手指自動洗浄装置１の使用者５０毎に洗浄液２３中の洗剤１９の濃度を変更することが可能になる。
なお、図７（ａ）における洗剤供給管１７の下流側（図中の符号Ｆを参照）は、先の図６における洗剤供給管１７の上流側につながっている。
また、第１の回転式弁３１又は第２の回転式弁３２における仕切り板３１ｂ又は仕切り板３２ｂの回転方向は時計回り方向でもよい。この場合も、上述の効果と同じ効果が発揮される。
【００６０】
さらに、先の図２に示すように本実施形態に係る手指自動洗浄装置１は、噴霧構造４から噴霧される第１の混合霧体（ミスト状の洗浄水１８）や第２の混合霧体（ミスト状の洗浄液２３）の温度を人の体温に近づけるために、洗浄水供給管２６ｂ１（図６を参照）、洗浄水供給管２６ｂ２（図５を参照）の下流側に水温調整部１５を備えていてもよい（任意選択構成要素）。
このような水温調整部１５は、例えば洗浄水１８（例えば、水道水）を加温するための電気やガス、あるいは電磁波等を用いた加温部（図示せず）と、この加温設備において加温された洗浄水１８を、未加温の洗浄水１８と混合して所望の温度帯の洗浄水１８に調整する混合部と、により構成してもよい。
この場合は、噴霧構造４から噴射される圧力流体（第１の混合霧体や第２の混合霧体）の温度を人の体温に近付けることができるので、使用者５０の手指５１を洗浄する際の使用者５０の体感を良好にできる上、洗浄液２３による手指５１の洗浄効果を高めることもできる。
【００６１】
以下に、本実施形態に係る手指自動洗浄装置１における排ミスト回収部２から排出された排ミストを含む排気の処理方法について図２，図９乃至図１２を参照しながら詳細に説明する。
本実施形態に係る手指自動洗浄装置１の排ミスト回収部２から排出された排気は、十分に除湿した後に手指自動洗浄装置１の外に排出すればよい。
より具体的には、本実施形態に係る手指自動洗浄装置１は、その排気処理設備として、例えば先の図２に示すように、吸引部７の下流側に設けられ、排ミストを含む排気から水分を除去するフィルタ８を備えていてもよい。
この場合、排ミスト回収部２から排出される排気中に含まれている水分の大部分をフィルタ８により除去することができる。したがって、フィルタ８を通過した排気を、図示しない配管等を通じて屋外にそのまま排出することできる。
【００６２】
上述のような本実施形態に係る手指自動洗浄装置１では、フィルタ８を通過した排気をそのまま屋外に排出する必要がある。このため、手指自動洗浄装置１の設置時に、フィルタ８から排出の排気を屋外に導くための配管や、排気口を建物に設ける工事を併せて行う必要があった。この場合、本実施形態に係る手指自動洗浄装置１の設置場所を、屋外に近い壁際にする必要があり、手指自動洗浄装置１の設置場所が制限されてしまうという課題が生じていた。
また、上述のような本実施形態に係る手指自動洗浄装置１から生じる排気を屋内に排出すると、フィルタ８からの排気の湿度が高いせいで、手指自動洗浄装置１の周囲の湿度が意図せず上昇してしまい、衛生上の問題が生じる懸念もあった。
このため、本実施形態に係る手指自動洗浄装置１を屋内の所望の場所で使用可能にするために、フィルタ８からの排気中の湿度を低減させる工夫や、手指自動洗浄装置１から排気を生じさせないようにするための構造上の工夫が必要とされていた。
【００６３】
このような事情に対処するため、本実施形態に係る手指自動洗浄装置１は、先の図２に示すように、フィルタ８を通過した排気をさらに除湿するために、フィルタ８の下流側に除湿部９（例えば、デシカント式の除湿装置等）を備えていてもよい（任意選択構成要素）。
この場合は、フィルタ８から排出される排気を除湿部９により十分に除湿することができるので、本実施形態に係る手指自動洗浄装置１からの排気を乾燥した状態にすることができる。
よって、フィルタ８に加えて除湿部９を備えてなる本実施形態に係る手指自動洗浄装置１によれば、除湿部９から排出された排気をそのまま屋内に排出することができる。この結果、手指自動洗浄装置１の周囲の環境を衛生的に保つことができる高性能な手指自動洗浄装置を提供することができる。
【００６４】
また、本実施の形態に係る手指自動洗浄装置１では、排ミスト回収部２内の排ミストを吸引して強制的に排気するため、除湿部９から排出される除湿済排気の量も大きくなる。このため、本実施の形態に係る手指自動洗浄装置１において除湿済排気をそのまま室内に排気すると、手指自動洗浄装置１からの排気音が問題になるおそれがある。
このような事情に鑑み本実施形態に係る手指自動洗浄装置１は、先の図１，２に示すように除湿部９から排出される除湿済排気を、除湿部９に接続される循環路１０を介して排ミスト回収部２の第１の中空部２ｂ内に環流し、さらに、排ミスト回収部２と除湿部９との間で排気を環流させるよう構成してもよい。なお、このような手指自動洗浄装置１における循環路１０は任意選択構成要素である。
そして、上述のような本実施形態に係る手指自動洗浄装置１では、その使用時に、手指自動洗浄装置１から排気が一切生じないので、手指自動洗浄装置１の静音性を高めることができる。
【００６５】
さらに、本実施形態に係る手指自動洗浄装置１では、排ミスト回収部２に送給される除湿済排気を利用して、排ミスト回収部２内に、排出口２ｃに向かって流れる旋回流を生じさせてもよい。
このような本実施形態に係る手指自動洗浄装置１について図９乃至図１２を参照しながら詳細に説明する。
図９（ａ）は本発明の実施形態に係る旋回流発生部を備えた排ミスト回収部の一部を切り欠いて示す側面図であり、（ｂ）は同排ミスト回収部のＦ−Ｆ線矢視断面図である。なお、図１乃至図７に記載されたものと同一部分については同一符号を付し、その構成についての説明は省略する。
本実施形態に係る手指自動洗浄装置１は、図９（ａ）に示すように、除湿部９から排出された除湿済排気４２の流路を所望に分岐させる分岐部３３と、この分岐部３３から導出される除湿済排気４２を、排ミスト回収部２の第１の開口２ａに近接した位置に送給する循環路１０と、この循環路１０に送給された除湿済排気４２を排ミスト回収部２の周方向に導出させる複数の導出口１０ａ１とを備えていてもよい。なお、分岐部３３、循環路１０及び導出口１０ａ１はいずれも任意選択構成要素である。
また、図９（ａ）に示す手指自動洗浄装置１では、フィルタ８において排気から除去された液体（使用済の洗浄液２３等）は、排水管３４を通じて最終的に下水に排出される。
【００６６】
上述のような分岐部３３、循環路１０及び導出口１０ａ１を備えた本実施の形態に係る手指自動洗浄装置１では、図９（ｂ）に示すように、排ミスト回収部２を平面視した際の周方向に導出された除湿済排気４２が、排出口２ｃ側に吸引されることで、第１の中空部２ｂ内に旋回流４３が生じる。
そして、排ミスト回収部２の第１の中空部２ｂ内に上述のような旋回流４３が生じることで、排ミスト回収部２内の排ミストを迅速かつスムーズに排出口２ｃから排出することができる。
この場合、第１の中空部２ｂ内に生じる旋回流４３は、排ミスト回収部２の第１の開口２ａの周囲の空気を効率良く第１の開口２ａ内に引込むことができる。
したがって、手指自動洗浄装置１が旋回流発生部３５（図２を参照）を備える場合は、排ミスト回収部２の第１の開口２ａの周囲にカバー６を備える必要がなくなる。
この場合、よりシンプルで機能的な手指自動洗浄装置１を提供することができるというメリットを有する。
よって、上述のような旋回流発生部３５を備えた本実施形態に係る手指自動洗浄装置１によれば、その使用時に手指自動洗浄装置１からの排気を無くすことができる。さらに、排ミスト回収部２内の排ミストを排出口２ｃから迅速かつスムーズに排出することもできる。この結果、本実施形態に係る手指自動洗浄装置１の静音性及び排ミストの回収効率を一層高めることができる。
【００６７】
また、除湿部９から生じる除湿済排気４２を利用して排ミスト回収部２内に旋回流４３を発生させるための他の構成としては図１０に示すような構造を用いることができる。
図１０は変形例に係る旋回流発生部を備えた排ミスト回収部の要部の鉛直方向部分断面図である。なお、図１乃至図９に記載されたものと同一部分については同一符号を付し、その構成についての説明は省略する。
変形例に係る旋回流発生部３５ａは、図１０に示すように、例えば排ミスト回収部２の内側面上に、第１の開口２ａの周方向に回動する回転リング３６ａと、この回転リング３６ａの内側面上に突設される複数の細長板状のフィン３７ａと、このフィン３７ａに除湿済排気４２を送給する除湿済排気送給構造４５とにより構成することができる。
【００６８】
上述のような変形例に係る旋回流発生部３５ａにおいて、回転リング３６ａは、ボールベアリング３９を介して排ミスト回収部２の内側面上に重なった状態で取設されている。また、回転リング３６ａの上端側のボールベアリング３９は、着脱可能なカバー４０により排ミスト回収部２に固定されている。
【００６９】
さらに、変形例に係る旋回流発生部３５ａにおける除湿済排気送給構造４５は、例えば、図１０に示すように、回転リング３６ａを固定するカバー４０上に嵌設されて壁面を形成する幅広リング４６と、この幅広リング４６の上部開口側に一体に設けられ、循環路１０から送給される除湿済排気４２を一時的に収容する除湿済排気受け部１０ｂと、この除湿済排気受け部１０ｂに送給された除湿済排気４２を排ミスト回収部２内に導出する導出口１０ａ２とにより構成することができる。
【００７０】
また、図１０に示す除湿済排気送給構造４５は、除湿済排気４２を幅広リング４６の上端側から下端側に向かって流動させるための風向調整部４７を備えている。
この風向調整部４７は、カバー４１からなり、このカバー４１は、除湿済排気受け部１０ｂの上部開口を被覆するとともに、幅広リング４６の上端との間に隙間を形成しながら覆設されている。
そして、上記カバー４１が、幅広リング４６との間に隙間を形成しながら第１の開口２ａ側に折れ曲がっていることで、第１の開口２ａに沿って切れ目のない除湿済排気４２の導出口１０ａ２を形成することができる。
そして、除湿済排気送給構造４５が風向調整部４７を備えていることで、導出口１０ａ２から送給される除湿済排気４２を、幅広リング４６の内側面上を、鉛直上方側から下方側に向かって流動させることができる。
【００７１】
また、除湿済排気４２が幅広リング４６の内側面上を鉛直上方側から下方側に向かって流動することで、第１の開口２ａの周囲の空気を排ミスト回収部２内に引込むことができる。
この結果、手指５１の洗浄に用いられた排ミストを確実に排ミスト回収部２内に引込むことができる。これにより、排ミストが、第１の開口２ａの周囲に飛散するのを確実に防ぐことができる。
よって、本実施形態に係る手指自動洗浄装置１では、風向調整部４７を備えた除湿済排気送給構造４５を、カバー６の代替手段として用いることができる。
つまり、実施形態に係る手指自動洗浄装置１が、風向調整部４７を備えた除湿済排気送給構造４５を備えている場合は、先の図１に示すカバー６を備えていなくともよい。
【００７２】
さらに、図１０に示す変形例に係る旋回流発生部３５ａでは、導出口１０ａ２から導出されて、幅広リング４６の内側面上を排出口２ｃに向かって流動する除湿済排気４２により、フィン３７ａを鉛直下方側に押圧することができる。そして、この作用により回転リング３６ａを、図１０中の紙面右方向に回動させることができる。さらに、フィン３７ａを備えた回転リング３６ａが排ミスト回収部２の周方向に回転することで、第１の中空部２ｂ内に除湿済排気４２の回転流を生じさせることができる。
また、第１の中空部２ｂ内の空気は、排出口２ｃから常時吸引されているため、第１の中空部２ｂ内に生じる除湿済排気４２の回転流は、旋回流４３になる。
なお、排ミスト回収部２の第１の中空部２ｂ内に旋回流４３が生じることによる効果は、排ミスト回収部２が旋回流発生部３５（先の図９を参照）を備えている場合の効果と同じである。
【００７３】
なお、図１０に示す変形例に係る排ミスト回収部２が、回転リング３６ａを備えていない場合は、排ミスト回収部２内に旋回流４３を発生させることが困難である。
しかしながらこの場合でも、排ミスト回収部２が少なくとも除湿済排気送給構造４５を備えていることで、第１の開口２ａの周囲の空気を排ミスト回収部２内に引込むことができる。
したがって、図１０に示す変形例に係る排ミスト回収部２が、フィン３７ａを備えた回転リング３６ａを備えていなくとも、周囲への排ミストの飛散防止効果を発揮させることができる。
つまり、図１０に示す変形例に係る排ミスト回収部２が、フィン３７ａを備えた回転リング３６ａを備えない場合も、自動洗浄装置１は目的とする機能を十分に発揮することができる。
【００７４】
さらに、除湿部９から生じる除湿済排気４２を利用して、排ミスト回収部２内に旋回流４３を生じさせる別の構成として、図１１及び図１２に示すような構造を用いることもできる。
図１１は別の変形例に係る旋回流発生部を備えた排ミスト回収部の要部の鉛直方向部分断面図である。また、図１２は別の変形例に係る旋回流発生部を備えた排ミスト回収部の要部の水平方向部分断面図である。なお、図１乃至図１０に記載されたものと同一部分については同一符号を付し、その構成についての説明は省略する。
先の図１０に示す排ミスト回収部２は、第１の開口２ａ側に設けられる除湿済排気送給構造４５から導出される除湿済排気４２を利用して回転リング３６ａを回転させるという構造を有している。
これに対して、図１１，１２に示す別の変形例に係る排ミスト回収部２は、排ミスト回収部２の周囲の空気の引き込みを促進するための除湿済排気送給構造４５ａに加えて、回転リング３６ｂを回転させるための除湿済排気送給構造４５ｂを別途に備えている。
すなわち、図１１，１２に示す別の変形例に係る排ミスト回収部２は、除湿済排気送給構造４５ａ（除湿済排気送給構造４５に相当）に加えて、旋回流発生部３５ｂとして、フィン３７ｂを備えた回転リング３６ｂ、および、この回転リング３６ｂを回転させるための除湿済排気送給構造４５ｂを備えている。
なお、図１１，１２に示す別の変形例に係る排ミスト回収部２における除湿済排気送給構造４５ａは、先の図１０に示す除湿済排気送給構造４５と同一である。
【００７５】
別の変形例に係る旋回流発生部３５ｂは、図１１，１２に示すように、排ミスト回収部２の内側面上において、第１の開口２ａの周方向に回動する回転リング３６ｂと、この回転リング３６ｂの内側面上（第１の中空部２ｂ側）に突設される複数のフィン３７ｂと、このフィン３７ｂに除湿済排気４２を送給する除湿済排気送給構造４５ｂとにより構成されている。
また、別の変形例に係る旋回流発生部３５ｂにおいて、回転リング３６ｂは、ボールベアリング３９を介して排ミスト回収部２の内側面上に取設されている。さらに、回転リング３６ｂの上端は、着脱可能なカバー４０により排ミスト回収部２に固定されている。
なお、先の図１０に示す変形例に係る排ミスト回収部２の場合と同様に、図１１，１２に示す別の変形例に係る排ミスト回収部２においても、カバー４０上に除湿済排気送給構造４５ａが嵌設されている。
【００７６】
そして、別の変形例に係る旋回流発生部３５ｂにおける除湿済排気送給構造４５ｂは、図１１，１２に示すように、回転リング３６ｂの背面側（フィン３７ｂが突設されていない側）の排ミスト回収部２に設けられ、かつ循環路１０から送給される除湿済排気４２を収容する除湿済排気受け部１０ｂと、この除湿済排気受け部１０ｂに収容された除湿済排気４２を、第１の中空部２ｂ側に排出するための多数の導出口１０ａ３と、この導出口１０ａ３と対向する位置の回転リング３６ｂに形成される窓３８とにより構成することができる。
上述のような除湿済排気送給構造４５ｂでは、図１１，１２に示すように導出口１０ａ３と対向する位置に回転リング３６ａが配されている。さらに、回転リング３６ｂは、導出口１０ａ３と対向する位置に窓３８を備えている。よって、導出口１０ａ３から導出された除湿済排気４２は、回転リング３６ｂの窓３８を通過して、排ミスト回収部２の第１の中空部２ｂ内に供給される。
また、図１２に示すように、全ての導出口１０ａ３の流路は、排ミスト回収部２を平面視した際に、排ミスト回収部２の内側面と、導出口１０ａ３の流路のなす角度が例えば４５°になるように形成してもよい。
【００７７】
上述のような別の変形例に係る旋回流発生部３５ｂを備える場合は、図１２に示すように、除湿済排気４２が第１の中空部２ｂ内に導出される際に、この除湿済排気４２によってフィン３７ｂが押圧される。この結果、回転リング３６ｂが図１２において時計周り方向に回転する。そして、排ミスト回収部２内においてフィン３７ａを備えた回転リング３６ｂが回転することで、排ミスト回収部２内に時計周り方向の回転流が生じる（図１２を参照）。
さらに、図１１，１２に示す別の変形例に係る排ミスト回収部２においても、排出口２ｃから常時第１の中空部２ｂ内の空気が吸引されている。
このため、別の変形例に係る旋回流発生部３５ｂを備えた排ミスト回収部２では、フィン３７ｂを備えた回転リング３６ｂが回転することで生じる回転流が、排出口２ｃ側に吸引されて、図１１，１２に示すように、第１の中空部２ｂ内に旋回流４３が生じる。
よって、図１１，１２に示す旋回流発生部３５ｂを備えた別の変形例に係る排ミスト回収部２によれば、先の図１０に示す旋回流発生部３５ａ備えた排ミスト回収部２による効果と同じの効果を発揮させることができる。
なお、排ミスト回収部２の内側面と、導出口１０ａ３の流路のなす角度は４５°である必要は特になく、導出口１０ａ３から導出される除湿済排気４２によってフィン３７ｂを押圧して回転リング３６ｂを回転させることができれば、上記以外の角度であってもよい。
【００７８】
図１１，１２に示すような別の変形例に係る排ミスト回収部２を備える場合は、除湿済排気４２を、除湿済排気送給構造４５ａと除湿済排気送給構造４５ｂの２箇所で同時に利用することができる。
この場合、除湿部９から排出される除湿済排気４２の排出量が特に大きい場合に、除湿済排気４２の流速を適度に減速することができる。
この結果、図１１，１２に示すような別の変形例に係る排ミスト回収部２によれば、排ミスト回収部２の周囲の空気を第１の中空部２ｂ内に引込むことによる排ミストの飛散防止効果と、除湿済排気４２を適度に減速させることによる第１の中空部２ｂ内の流体の整流効果とを同時に発揮させることができる。
【産業上の利用可能性】
【００７９】
以上説明したように本発明は、手を自由に動かすことができない人の手指を自動で隅々まできれいに洗浄することができる手指自動洗浄装置であり、医療又は福祉、食品製造、衛生管理、あるいは研究開発等の関連設備に関する技術分野において利用可能である。
【符号の説明】
【００８０】
１…手指自動洗浄装置  ２…排ミスト回収部  ２ａ…第１の開口  ２ｂ…第１の中空部  ２ｃ…排出口  ３…第１の洗浄液噴霧部  ３ａ…供給配管  ４…噴霧構造  ４ａ…噴霧口  ５…第２の洗浄液噴霧部  ５ａ…親指側洗浄液噴霧部  ５ｂ…指先側洗浄液噴霧部  ５ｃ１，５ｃ２…供給配管  ６…カバー  ６ａ…第２の中空部  ６ｂ…第２の開口  ７…吸引部  ８…フィルタ  ９…除湿部  １０…循環路  １０ａ１，１０ａ２，１０ａ３…導出口  １０ｂ…除湿済排気受け部  １１…撮像部  １２…画像認証部  １３…高さ調整部  １４…アームレスト  １５…水温調整部  １６…ベンチュリー管  １７…洗剤供給管  １７ａ…洗剤供給口  １８…洗浄水  １９…洗剤  ２０…洗浄液調整部  ２１…収容器  ２２…高周波発生部  ２３…洗浄液  ２４…導入管  ２５…排出管  ２６ａ…洗浄液供給管  ２６ｂ１,２６ｂ２…洗浄水供給管  ２６ｃ…圧縮空気供給管  ２７ａ，２７ｂ…電磁弁  ２８…圧縮空気  ２９…洗剤供給部  ３０…洗剤収容ボトル  ３０ａ…開口  ３１…第１の回転式弁  ３１ａ…回転軸  ３１ｂ…仕切り板  ３１ｃ…回転子  ３１ｄ…回転補助部  ３２…第２の回転式弁  ３２ａ…回転軸  ３２ｂ…仕切り板  ３２ｃ…回転子  ３２ｄ…回転補助部  ３３…分岐部  ３４…排水管  ３５，３５ａ，３５ｂ…旋回流発生部  ３６ａ，３６ｂ…回転リング  ３７ａ，３７ｂ…フィン  ３８…窓  ３９…ボールベアリング  ４０，４１…カバー  ４２…除湿済排気  ４３…旋回流  ４４…供給弁ユニット  ４５，４５ａ，４５ｂ…除湿済排気送給構造  ４６…幅広リング  ４７…風向調整部  ５０…使用者  ５１…手指  Ｐ１，Ｐ２…ポンプ
【図１】
2020048628.tif 000003
【図２】
2020048628.tif 000004
【図３】
2020048628.tif 000005
【図４】
2020048628.tif 000006
【図５】
2020048628.tif 000007
【図６】
2020048628.tif 000008
【図７】
2020048628.tif 000009
【図８】
2020048628.tif 000010
【図９】
2020048628.tif 000011
【図１０】
2020048628.tif 000012
【図１１】
2020048628.tif 000013
【図１２】
2020048628.tif 000014
【手続補正書】
【提出日】平成31年1月9日(2019.1.9)
【手続補正１】
【補正対象書類名】特許請求の範囲
【補正対象項目名】全文
【補正方法】変更
【補正の内容】
【特許請求の範囲】
【請求項１】
手指の表面を自動で洗浄するための洗浄装置であって、
上部に第１の開口を備え、かつ第１の中空部を備えるボウル状の排ミスト回収部と、
この排ミスト回収部の前記第１の中空部上に配され、洗浄対象である前記手指の上面側に洗浄液を噴霧する噴霧構造を備えている第１の洗浄液噴霧部と、
前記第１の開口の鉛直上方側でかつその周縁側に配され、洗浄対象である前記手指の周縁側に前記洗浄液を噴霧する前記噴霧構造を備えている第２の洗浄液噴霧部と、
前記排ミスト回収部の排出口の下流側に配されている吸引部と、
前記吸引部の下流側に配されて、前記排ミスト回収部から排出された流体から液体を分離するフィルタと、
このフィルタを通過した気体を除湿する除湿部と、
この除湿部から排出された除湿気体を前記排ミスト回収部の前記第１の開口側に導いて導出させる循環路と、を備えていることを特徴とする手指自動洗浄装置。
【請求項２】
前記手指自動洗浄装置はさらに、前記第１の開口側に導出された前記除湿気体を、前記排ミスト回収部の内側面上を前記排出口に向かって流動させる風向調整部を備えていることを特徴とする請求項１に記載の手指自動洗浄装置。
【請求項３】
前記手指自動洗浄装置はさらに、使用者の顔を撮像する撮像部と、
前記撮像部において撮像された画像に基づいて前記使用者を特定する画像認証部と、
この画像認証部において特定された使用者情報に関連付けて予め登録されている前記第１の開口の鉛直方向高さデータに基づいて前記第１の開口及びそれに付随する設備の鉛直方向高さを変更する高さ調整部と、を備えていることを特徴とする請求項１又は請求項２に記載の手指自動洗浄装置。
【請求項４】
前記手指自動洗浄装置はさらに、洗浄水に洗剤を供給する洗剤供給部と、
前記洗浄水に前記洗剤を溶解させて前記洗浄液を調整する洗浄液調整部と、を備えていることを特徴とする請求項１乃至請求項３のいずれか１項に記載の手指自動洗浄装置。
【請求項５】
前記噴霧構造は、洗浄水を供給する洗浄水供給部と、前記洗浄液を供給する洗浄液供給部と、圧縮空気を供給する圧縮空気供給部と、を備え、
前記洗浄水と前記圧縮空気とからなる第１の混合霧体、前記洗浄液と前記圧縮空気とからなる第２の混合霧体、及び、前記圧縮空気、から選択されるいずれかを前記噴霧構造から噴射することを特徴とする請求項１乃至請求項４のいずれか１項に記載の手指自動洗浄装置。
【請求項６】
前記第１の開口は、アームレストを備えていることを特徴とする請求項１乃至請求項５のいずれか１項に記載の手指自動洗浄装置。